(57)【要約】【課題】パッキンの取付高さに胴縁が存在する場合でも、その胴縁との干渉を避けてパッキンを確実に取付けることができる外壁を提供する。【解決手段】建物の躯体２の壁部３に胴縁３０を介して外壁材４を取付け、外壁材４の上端部と軒天井４５との隙間７にパッキン８を嵌挿した外壁１である。パッキン８は、隙間７に屋外側から挿入されて外壁材４の上端部に支持される本体部８ａと、本体部８ａの屋外側端部に下向きに突設されて外壁材の上端外面に係止される係止部８ｂと、本体部８ａの上面部に挿入方向に間隔を開けて上向きに突設されて各先端側が軒天井４５の下面に押圧接触する少なくとも２枚の屋外側及び屋内側の気密片部８ｅ，８ｆと、本体部８ａの屋内側端部に下向きに突設されて外壁材４の上端内面に引っ掛けられる引掛け部８ｃとを有し、引掛け部８ｃには胴縁３０に当接する反力で引掛け部８ｃを上方へ弾性変形させる案内部８ｄが設けらる。【選択図】          図１
2004332317.tif 000002
【特許請求の範囲】
【請求項１】
建物の躯体の壁部に胴縁を介して外壁材を取付け、該外壁材の上端部と軒天井との隙間にパッキンを嵌挿した外壁であって、前記パッキンは、前記隙間に屋外側から挿入されて外壁材の上端部に支持される本体部と、該本体部の屋外側端部に下向きに突設されて外壁材の上端外面に係止される係止部と、前記本体部の上面部に挿入方向に間隔を開けて上向きに突設されて各先端側が前記軒天井の下面に押圧接触する少なくとも２枚の屋外側及び屋内側の気密片部と、前記本体部の屋内側端部に下向きに突設されて外壁材の上端内面に引っ掛かる引掛け部とを有し、該引掛け部には前記胴縁に当接する反力で引掛け部を上方へ弾性変形させる案内部が設けられていることを特徴とする外壁。
【発明の詳細な説明】
【０００１】
【発明の属する技術分野】
本発明は、建物の外壁に係り、特に外壁材の上端部と軒天井との隙間に嵌挿されるパッキンの構造を改良した外壁に関する。
【０００２】
【従来の技術】
近年の外壁においては、建物の躯体の壁部に通気層を介して外壁材を取付ける通気工法が主流になって来ている。このように通気層を介して外壁材を取付ける場合、一般的には、外壁材の上端と軒天井との間の隙間（目地部）に、後から防水用のシールを施している。
【０００３】
このシールの施工法として、前記隙間に流動性を持つシーリング材を充填する湿式目地工法（シーリング目地工法ともいう）がある。この湿式目地工法は、図６に示すように、建物の躯体２の壁部３に胴縁３０を介して固定された外壁材４の上端部４ｃと、軒天井４５との間の隙間７の奥部に予めバックアップ材１０１を配置した上で、その手前側の空所にシーリング材１０２を屋外側から充填して固化させる工法である。
【０００４】
また、別のシール施工法として、前記隙間に弾性を有するパッキン（ガスケット）を挿入する乾式目地工法（ガスケット工法）がある。
【０００５】
【発明が解決しようとする課題】
ところで、前述した湿式目地工法は、シーリング材の経年劣化により、接着面の剥離や材料破断を生じて水密・気密性が低下する上、ゴミの付着により表面の汚れが目立つようになるという問題がある。また、シーリング材の施工には熟練を要すると共にコストがかかるという問題もある。
【０００６】
一方、パッキンを目地部に挿入する乾式目地工法は、そのような湿式目地工法の問題点をほとんど解消できるが、パッキンを隙間の奥部に押し込み過ぎたり、或いはパッキンが隙間から抜ける恐れがあり、パッキンを確実に取付けることが難しい。なお、パッキンの抜けを防止するために、パッキンの挿入方向前端に外壁材４の上端内面に引っ掛けられる引掛け部を設けることが考えられるが、図６に示すように隙間７の背後に胴縁３０が存在する場合には、引掛け部が胴縁３０と干渉して外壁材の上端内面に引っ掛からず、パッキンを確実に取付けることが困難であるため、そのような建物の場合は湿式目地工法に頼っているのが現状である。
【０００７】
本発明は、前記事情を考慮してなされたもので、パッキンの取付高さに胴縁が存在する場合でも、その胴縁との干渉を避けて確実に取付けることができ、施工性の向上が図れる外壁を提供することを目的とする。
【０００８】
【課題を解決するための手段】
本発明は、建物の躯体の壁部に胴縁を介して外壁材を取付け、該外壁材の上端部と軒天井との隙間にパッキンを嵌挿した外壁であって、前記パッキンは、前記隙間に屋外側から挿入されて外壁材の上端部に支持される本体部と、該本体部の屋外側端部に下向きに突設されて外壁材の上端外面に係止される係止部と、前記本体部の上面部に挿入方向に間隔を開けて上向きに突設されて各先端側が前記軒天井の下面に押圧接触する少なくとも２枚の屋外側及び屋内側の気密片部と、前記本体部の屋内側端部に下向きに突設されて外壁材の上端内面に引っ掛かる引掛け部とを有し、該引掛け部には前記胴縁に当接する反力で引掛け部を上方へ弾性変形させる案内部が設けられていることを特徴とする。
【０００９】
【発明の実施の形態】
以下に、本発明の実施の形態を添付図面に基いて詳述する。
【００１０】
図１は実施の形態の主要部構成を示し、（ａ）は胴縁の存在しない位置における断面図、（ａ）は胴縁の存在する位置における断面図、図２は胴縁とパッキンの関係を示す斜視図、図３は同じ部分の上から見た平面図、図４は胴縁の取付け態様を示す斜視図である。
【００１１】
図１において、１は外壁で、この外壁１は建物の躯体２の壁部３に胴縁（縦胴縁）３０を介して取付けられる外壁材４を備えている。４５は水平な軒天井であり、この軒天井４５と外壁材４の上端部４ｃとの間には所定寸法の隙間（目地部）７が設けられ、この隙間７に乾式目地工法としてパッキン（ガスケット）８が屋外側（室外側）から挿入されている。
【００１２】
この場合の外壁１が適用される構造は、図４に概略構成を示すように、建物の躯体２の壁部３の外側に胴縁３０が配置されており、その胴縁３０を介して釘等の固定具で、外壁材４〔図１（ｂ）参照〕が躯体２の壁部３に固定されるものである。この胴縁３０を介在させることにより、躯体２の壁部３と外壁材４との間には所定隙間の通気層２３が形成される。なお、躯体２の壁部３には透湿防水紙２６が張設されている。
【００１３】
前記外壁材４は、例えばタイルやレンガのような窯業系の外装材（サイディング）からなり、所定寸法のパネル状に形成されている。外壁材４の取付方法としては、縦長状態で取付ける縦張りや横長状態で取付ける横張りがあるが、何れであってもよい。また。外壁材４としては、金属系のパネルであってもよい。
【００１４】
前記パッキン８は、弾性変形可能なゴム質ないし軟質樹脂、例えばサーモ・プラスチック・エラストマー（ＴＰＥ）系の材料からなり、押出成形により、図１の紙面に垂直方向に連続した長尺に形成されている。このパッキン８は、外壁材４の上端部４ｃに下面が接するように支持される帯板状の本体部８ａを有し、その本体部８ａの挿入方向（幅方向）の後端部（屋外側の端部）に、下向きに突設された係止部８ｂを有している。この係止部８ｂは、外壁材４の上端外面４ａに係止されることで、屋内側へのパッキン８の過度挿入を規制する機能を果たす。
【００１５】
また、本体部８ａの挿入方向の先端部（屋内側の端部）には、外壁材４の上端内面４ｂに引っ掛けられてパッキン８の抜け止めを果たす引掛け部８ｃが下向きに突設されている。前記係止部８ｂ及び引掛け部８ｃは、パッキンの長手方向に連続した形成されている。引掛け部８ｃの前端部には前記胴縁３０に当接する反力で引掛け部８ｃを上方へ弾性変形させる傾斜した案内部（案内面、傾斜面ということもできる）８ｄが設けられている。前記引掛け部８ｃは、挿入方向前端に傾斜した案内部８ｄを有するフック状に形成されており、前記隙間７にパッキン８を屋外側から挿入する際に、その案内部８ｄが外壁材４に当たることで、上方に弾性的に屈曲させ、パッキン８の挿入完了に伴って弾性復元することにより、外壁材４の上端内面４ｂに引っ掛り、屋外側へのパッキン８の抜けを防止する機能を果たす。
【００１６】
この引掛け部８ｃは可撓性を有しているので、図１（ａ）に示すようにパッキン８の挿入位置に胴縁３０が存在しない部分では、ほぼ元の形に弾性復元して外壁材４の内面４ｂに係合する。また、パッキン８の挿入位置に胴縁３０が存在する部分では、胴縁３０に押されて局部的に上方に屈曲変形し、それにより胴縁３０との干渉を回避する。図２、図３に示すように、引掛け部８ｃは、胴縁３０の有る無しに応じて柔軟に局部変形するので、まったく何の支障もなくパッキン８を隙間７に挿入して隙間をシールすることができると共に、パッキン８を隙間７内に確実に取付保持することができる。
【００１７】
このパッキン８は、前記隙間７への挿入方向の前後両端に設けた引掛け部８ｃ及び係止部８ｂにより、外壁材４の上端部を厚さ方向に挟み込むことにより、自らが外壁材４の上端部に保持固定されるようになっている。また、本体部８ａの下面が外壁材４の小口４ｃに面接触した状態で、挿入方向前後の引掛け部８ｃ、係止部８ｂが外壁材４の上端の屋内側及び屋外側の角部を覆う上、特に、係止部８ｂの内面が外壁材４の上端外面４ａに密着するようになっているので、外壁材４の両角部を保護することができるし、外壁材４とパッキン８の間の気密性及び水密性を保持することができる。
【００１８】
また、パッキン８の本体部８ａの上面には、本体部８ａの挿入方向に間隔を開けてそれぞれ上向きに少なくとも２枚の屋外側及び屋内側のヒレ状の気密片部８ｅ、８ｆが突設されている。これらの気密片部８ｅ、８ｆは、軒天井４５との隙間７への屋外側からのパッキン８の挿入に伴って屋外側に弾性的に倒れ変形することにより、各先端側の側面が軒天井４５の下面に押圧接触して、それにより両者間に空気層９を画成するものであり、パッキン８の長手方向に連続して形成されている。これら気密片部８ｅ、８ｆの突出長さは、軒天井４５との隙間７を確実に余裕を持って塞ぐことができるような寸法に設定されている。
【００１９】
２枚の気密片部８ｅ、８ｆ間に画成される空気層９は減圧用の空間であり、この空気層９が確保されることにより、外壁材４よりも屋外側の風圧をＰａ、外壁材４よりも屋内側の気圧をＰｃ、前記空気層９の気圧をＰｂとすると、風圧がＰａ＞Ｐｂ＞Ｐｃのように段階的に変化するようになるため、各気密片部８ｅ、８ｆを境とする気圧差が小さくなり、気圧差で雨水が屋内側に侵入するのを抑制することができる。
【００２０】
また、外壁材４５の屋外側角部Ａを通り勾配軒天井４５に直角となる垂線Ｌｓを引いた場合、屋外側の気密片部８ｅの軒天井４５に対する接点Ｂが、前記垂線Ｌｓより寸法ａだけ屋外側に位置し、屋内側の気密片部８ｆの軒天井４５に対する接点Ｃが、前記垂線Ｌｓより寸法ｂだけ屋内側に位置し、しかも、接点Ｃが外壁材４の上端外面の延長線Ｌｔ（軒天井４５が水平の場合はＬｔ＝Ｌｓとなる）よりも寸法ｃ（軒天井４５が水平の場合はｃ＝ｂとなる）だけ屋内側に位置するように、気密片部８ｅ、８ｆの形状や位置、弾性度が決められている。つまり点Ａ，Ｂ，Ｃを頂点とする三角形ＡＢＣを考えた場合、角Ｂ，角Ｃがそれぞれ鋭角となるように接点Ｂ，Ｃの位置が定められている。
【００２１】
従って、屋外側の気密片部８ｅの接点Ｂが軒天井４５に押圧する力による点Ａ回りのモーメント（図中反時計回りのモーメント）は、係止部８ｂの内面を外壁材４の上端外面４ａに強く押し付ける力として作用し、また、屋内側の気密片部８ｆの接点Ｃが軒天井４５に押圧する力による点Ａ回りのモーメント（図中時計回りのモーメント）は、本体部８ａの下面を外壁材４の上端部４ｃに強く押し付ける力として作用し、結果的に、外壁材４に対するパッキン８の密着力が増強して、気密・水密性が向上すると共に、パッキン８がバランス良く保持されることになる。また、勾配付きの軒天井４５に各気密片部８ｅ、８ｆが押圧することによって、外壁材４の上端部４ｃ上に配置されたパッキン８には屋内側へ向かう分力が作用する。従って、その分力と、係止部８ａによる係止力との釣り合いにより、パッキン８の位置ずれ防止及び抜け止めがなされる。
【００２２】
このパッキン８を外壁材４の上端に取付ける場合は、外壁材４の外側で軒天井４５の下側に、２つの気密片部８ｅ、８ｆを上に向け且つ引掛け部８ｃを外壁材４側に向けた姿勢でパッキン８を準備する。次いで、軒天井４５の下面に２つの気密片部８ｅ、８ｆを湾曲させて押し当てながら、引掛け部８ｃの前端を外壁材４の上端と軒天井４５の隙間７に挿入する。その際、引掛け部８ｃの前端の案内部８ｄの案内作用によって、引掛け部８ｃが上に屈曲しながらパッキン８が楽に隙間７に入って行く。
【００２３】
次いで、更にパッキン８を挿入すると、屋内側の気密片部８ｆの軒天井４５に対する接点Ｃが、前述した配軒天井４５から引いた点Ａを通る垂線Ｌｓを超えて屋内側に入っていくに従い、軒天井４５に押圧する気密片部８ｆの弾性反力によりパッキン８に図中時計回りのモーメントが作用するようになり、そのモーメントによってパッキン８の本体部８ａが外壁材４５の上端部４ｃに押し付けられる。その際、引掛け部８ｃは、上向きに屈曲した姿勢で外壁材４の上端部４ｃを滑り移動し、引掛け部８ｃの先端フック部が外壁材４の上端内面４ｂの位置を越えた時点で、図１（ａ）に示すように、引掛け部８ｃが弾性復元して外壁材４の上端内面４ｂに引っ掛かり、これによりパッキン８が抜け止めされる。また、胴縁３０の有る位置では、図１（ｂ）に示すように、胴縁３０に引掛け部８ｃの前端案内部８ｄが当たることで、引掛け部８ｃはそのまま上に持ち上がった状態に保持される。また、パッキン８を挿入するに従い、適正位置で係止部８ｄが外壁材４の上端外面４ａに係止されるので、隙間７の奥に過度にパッキン８が入り込むことがなくなる。
【００２４】
以上の構成からなる外壁１によれば、建物の躯体２の壁部３に胴縁３０を介して外壁材４を取付け、外壁材４の上端と軒天井４５との隙間７にパッキン８を嵌挿した外壁であって、前記パッキン８は、外壁材４の上端部４ｃに支持される本体部８ａと、外壁材４の上端外面４ａに係止されて屋内側へのパッキン８の過度挿入を規制する係止部８ｂと、外壁材４の上端内面４ｂに引っ掛けられて屋外側へのパッキン８の抜けを防止する引掛け部８ｃと、軒天井４５に弾性的に押圧することで両者間に空気層９を画成する少なくとも２枚の気密片部８ｅ、８ｆとを有するため、適正な位置に楽にパッキンを挿入セットすることができる。また、前記引掛け部８ｃは、長手方向に連続した弾性可撓片として形成され、引掛け部８ｃの前端部には胴縁３０に当接する反力で引掛け部８ｃを上方に弾性変形させる案内部８ｄを有しているため、胴縁３０の存在する位置では胴縁３０に押されて局部的に上方に屈曲変形して胴縁３０との干渉を回避し、胴縁３０の存在しない位置では引掛け部８ｃが外壁材４の上端内面４ｂに係合して引っ掛けられるため、胴縁がある建物の場合でも、適正な位置に楽にパッキンを挿入セットすることができると共に確実に取付けることができる。
【００２５】
即ち、適当な位置までパッキン８を挿入したところで、屋外側の係止部８ｅが外壁材４の上端外面４ａに係止されるので、それ以上の挿入ができなくなり、パッキン８の過度の挿入を確実に防止することができる。また、胴縁３０が存在する位置では外壁材４の上端内面４ｂに係合しないものの、胴縁３０の存在しない位置では係止部８ｂが外壁材４の上端内面４ｂに係合するので、気圧差等の関係で屋外側への抜け力が作用した場合にも、簡単にパッキン８が抜ける心配がない。また、その抜け止め用の引掛け部８ｃの前端には案内部８ｄを設けている上、その引掛け部８ｃ自体が弾力性を有しているので、挿入時の抵抗を小さくすることができ、パッキン８を楽に隙間７に挿入することができる。
【００２６】
屋外側の気密片部８ｅの軒天井４５に対する接点Ｂと、屋内側の気密片部８ｆの軒天井４５に対する接点Ｃとが、外壁材４の上端外面角部Ａから軒天井４５に引いた垂線Ｌｓを挟んで屋外側と屋内側にそれぞれ位置するため、一旦パッキン８を挿入すると、パッキン８をバランス良く定位置に安定的に保持することができる。
【００２７】
また、２枚の気密片部８ｅ、８ｆの先端側側面が軒天井４５の下面に密着することで、目地部の水密・気密性が保持される上、気密片部８ｅ、８ｆ間に空気層９が確保されているので、屋外側の風圧を屋内側に向けて徐々に減圧することができ、気密・水密性を一層高めることができる。また、従来の湿式目地工法によらないので、その問題点を全て解消することができ、コスト低減を図ることができる。
【００２８】
以上、本発明の実施の形態を図面により詳述してきたが、本発明は前記実施の形態に限定されるものではなく、本発明の要旨を逸脱しない範囲での種々の設計変更等が可能である。例えば、前記実施の形態では、軒天井４５が水平の場合に適用したが、図５に示すように勾配付きの軒天井４５の場合にも本発明は適用することができる。その場合、ＬｓとＬｔは別の線になる。
【００２９】
また、前記実施の形態では、壁部３の高さ方向の全体に胴縁３０が存在する場合を想定し、その胴縁３０を介して外壁材４を取り付ける場合について説明したが、胴縁３０は上端付近にだけに存在し、それより下側では、取付金具を用いて通気層を確保しながら外壁材４を取り付ける場合にも、本発明は適用することができる。
【００３０】
【発明の効果】
以上要するに本発明によれば、建物の躯体の壁部に胴縁を介して外壁材を取付け、該外壁材の上端部と軒天井との隙間にパッキンを嵌挿した外壁であって、前記パッキンは、前記隙間に屋外側から挿入されて外壁材の上端部に支持される本体部と、該本体部の屋外側端部に下向きに突設されて外壁材の上端外面に係止される係止部と、前記本体部の上面部に挿入方向に間隔を開けて上向きに突設されて各先端側が前記軒天井の下面に押圧接触する少なくとも２枚の屋外側及び屋内側の気密片部と、前記本体部の屋内側端部に下向きに突設されて外壁材の上端内面に引っ掛かる引掛け部とを有し、該引掛け部には前記胴縁に当接する反力で引掛け部を上方へ弾性変形させる案内部が設けられているため、パッキンの取付高さに胴縁が存在する場合でも、その胴縁との干渉を避けてパッキンを確実に取付けることができ、施工性の向上が図れる。
【図面の簡単な説明】
【図１】本発明の実施の形態を示す外壁の主要部構成を示す拡大断面図であり、（ａ）は胴縁の存在しない位置における断面図、（ａ）は胴縁の存在する位置における断面図である。
【図２】同実施の形態における胴縁とパッキンの関係を示す斜視図である。
【図３】図２と同じ部分の上から見た平面図である。
【図４】胴縁の取付け態様を示す斜視図である。
【図５】本発明を勾配付き軒天井を有する建物に適用した例を示す主要部拡大断面図である。
【図６】従来の湿式目地工法の説明のための拡大断面図である。
【符号の説明】
１  外壁
２  躯体
３  壁部
４  外壁材
７  隙間
８  パッキン
８ａ  本体部
８ｂ  係止部
８ｃ  引掛け部
８ｄ  案内部
８ｅ，８ｆ  気密片部
２３  通気層
３０  胴縁
４５  軒天井
【図１】
2004332317.tif 000003
【図２】
2004332317.tif 000004
【図３】
2004332317.tif 000005
【図４】
2004332317.tif 000006
【図５】
2004332317.tif 000007
【図６】
2004332317.tif 000008